(57)【要約】【課題】　著作物を含むデータなどをル記録するデータ記録装置に関し、より詳細には、著作物を含む映像信号をデジタル記録する映像信号記録装置に関する。【解決手段】　第１の映像信号（Ｓｖａ）をデジタル記録する映像信号記録装置（ＤＲ）において、著作権情報検出器（２）は第１の映像信号（Ｓｖａ、Ｓｖｄ）に挿入されている著作権情報（Ｓｃｒ）を抽出し、有効期間判別信号生成器（３）は第１の映像信号（Ｓｖｄ）の有効画素期間を検出して有効期間判別信号（Ｓｐｅ）を生成し、固定値発生器（４、１４）は非著作物である第２の映像信号（Ｓｄｃ、Ｓｅｎ）を発生し、選択器（５）は著作権情報（Ｓｃｒ）と有効期間判別信号（Ｓｐｅ）に基づいて第１の映像信号（Ｓｖｄ）が著作物である場合は、第１の映像信号（Ｓｖｄ）の有効画素期間を第２の映像信号（Ｓｄｃ、Ｓｅｎ）で置き換えて、第３の映像信号（Ｓｖ）を生成する。【選択図】　図１
2004147312.tif 000002
【特許請求の範囲】
【請求項１】
　著作物と非著作物が混在する第１の映像信号をデジタル記録する映像信号記録装置であって、
　前記第１の映像信号に挿入されている著作権情報を抽出する著作権情報検出手段と、
　前記第１の映像信号の有効画素期間を検出して有効期間判別信号を生成する有効画素期間検出手段と、
　非著作物である第２の映像信号を発生する映像信号発生手段と、
　前記著作権情報と前記有効期間判別信号に基づいて、前記第１の映像信号が著作物である場合は、当該第１の映像信号の有効画素期間を前記第２の映像信号で置き換えて、第３の映像信号を生成する映像信号生成手段と、
　前記第３の映像信号を記録媒体に１つの映像ファイルとしてデジタル記録するデジタル記録手段とを備える映像信号記録装置。
【請求項２】
　前記映像信号発生手段は、所定の固定値を有する固定値信号を発生することを特徴とする請求項１に記載の映像信号記録装置。
【請求項３】
　前記著作権情報に基づいて、前記第１の映像信号における著作物と非著作物との境界を検出する境界検出手段と、
　前記映像ファイルにおいて、前記境界と著作物の関係を示すファイル構成情報を生成するファイル構成情報生成手段とをさらに含み、
　前記デジタル記録手段は、前記ファイル構成情報もデジタル記録することを特徴とする請求項１に記載の映像信号記録装置。
【請求項４】
　前記映像信号発生手段は、所定のスクランブルキーで前記第１の映像信号をスクランブルして前記第２の映像信号を発生させることを特徴とする請求項１に記載の映像信号記録装置。
【請求項５】
　前記第１の映像信号がアナログの場合は、前記境界検出手段は当該第１の映像信号のフレーム間隔より小さな間隔の識別クロックであることを特徴とする、請求項３に記載の映像信号記録装置。
【請求項６】
　前記第１の映像信号がデジタルの場合は、前記境界検出手段は当該第１の映像信号に含まれるＰＣＲに基づくことを特徴とする、請求項３に記載の映像信号記録装置。
【発明の詳細な説明】
【技術分野】
【０００１】
　本発明は、著作物を含むデータをビデオテープ、ハードディスク、および光ディスク等の記録媒体にデジタル記録するデータ記録装置に関し、より詳細には、著作物を含む映像信号をデジタル記録する映像信号記録装置に関する。
【背景技術】
【０００２】
　近年、映像信号を記録する映像信号記録装置は、従来のＶＨＳテープ等の記録媒体にアナログ記録する方法に変わって、デジタルビデオテープ、ハードディスク、およびＤＶＤ等の記録媒体にデジタル信号として記録するデジタル記録が急速に普及しつつある。記録対象の映像信号がアナログである場合は、アナログ映像信号をＭＰＥＧ２方式の画像圧縮技術を用いて、情報量が低減されて変換されたデジタル映像信号が記録媒体に記録される。記録対象の映像信号がデジタルの場合は、デジタル映像信号がそのまま記録媒体に記録される。
【０００３】
　従来のアナログ記録においては、記録媒体から別の記録媒体へと映像信号をコピー、いわゆるダビングを行うと画質が大幅に劣化する。それ故に、映像信号などの記録されるデータに、著作物が含まれている場合でも、ダビング時の品質劣化が自ずと著作権保護につながっている。しかしながら、記録されるデータがデジタル信号である場合は、媒体や装置に問題がない限り、ダビングしても品質劣化は生じない。また、記録されるデータがアナログである場合も、一端デジタル信号に変換された後は、ダビングによる品質劣化は生じない。よって、デジタル記録を行う映像信号記録装置においては、著作物を含むデータの違法コピーを防止する著作権保護技術が必要とされている。
【０００４】
　著作権保護技術に関して代表的なものを説明する。ＮＴＳＣ方式のアナログ映像信号に重畳してダビングを制御する、いわゆるコピーガードはマクロビジョン信号とＶＢ−ＩＤ（Ｖｅｒｔｉｃａｌ　Ｂｌａｎｋｉｎｇ　ＩＤ）信号に大別される。マクロビジョン信号は、疑似同期信号を挿入するＡＧＣパルスと特定ラインのバースト信号の位相を中間点で反転させるカラーストライプから構成されている。つまり、映像信号のブランキング区間に間違った信号を混入させて、記録装置の同期やＡＧＣを誤動作させることによって、正常に録画させないようにしている。つまり、コピー後の信号品質を著しく劣化したものとすることによって、著作物の保護を図っている。
【０００５】
　一方、ＶＢ−ＩＤ信号は、２０ビットの情報からなり、ＮＴＳＣ信号において、垂直ブランキング期間中の第２０ラインに挿入される。ＶＢ−ＩＤ信号中のＣＧＭＳ−Ａ（Ｃｏｐｙ　Ｇｅｎｅｒａｔｉｏｎ　Ｍａｎａｇｅｍｅｎｔ　Ｓｙｓｔｅｍ−Ａｎａｌｏｇ）信号によって、著作物の世代管理情報を表す。ＣＧＭＳ−Ａは２ビットで構成され、コピー禁止、１回コピー可能、およびコピーフリーの３種類の情報を表すことができる。記録装置がこの３種類の情報に基づいて、記録操作の可否を決定する。つまり、コピー後の信号品質を劣化させるのではなく、コピーの回数を制限することによって、著作物の保護を図っている。
【０００６】
　上述のマクロビジョン信号やＶＢ−ＩＤ信号は、記録装置による入力信号のコピー動作を直接あるいは間接的に制御する信号であると同時に、入力信号に著作物が含まれていることを意味する信号である。つまり、マクロビジョン信号やＶＢ−ＩＤ信号（ＣＧＭＳＡ−Ａ信号）は、入力信号に著作物が混入されているか否かを表すと共に、混入されている著作物の保護の程度を表す著作権情報を表しているコピーガード信号である。これらのコピーガード信号が、映像信号に挿入される最小間隔は１フィールドである。
【０００７】
　図１５、および図１６を参照して、従来のマクロビジョン信号やＶＢ−ＩＤ信号（ＣＧＭＳ−Ａ信号）に対応した、映像信号記録装置について説明する。図１５に示すように、映像信号記録装置ＤＲｃ１は、入力信号処理器１０１、著作権情報検出器１０２、記録処理器１０６、記録器１０７、および記録制御器１１１を含む。映像信号記録装置ＤＲｃ１において、入力信号処理器１０１は、入力端子２０を介して入力されるアナログ映像信号Ｓｖａに対して、同期信号分離やアナログディジタル変換等の処理を施して、デジタル映像信号Ｓｖｄを生成して記録処理器１０６に出力すると共に、アナログ映像信号Ｓｖａを著作権情報検出器１０２に出力する。
【０００８】
　著作権情報検出器１０２は、アナログ映像信号Ｓｖａに重畳されているマクロビジョン信号やＣＧＭＳ−Ａ信号を検出すると共に、著作権情報を抽出して著作権情報信号Ｓｃｒを生成する。記録制御器１１１は、著作権情報信号Ｓｃｒに基づいて、記録処理器１０６の記録動作を制御する記録制御信号Ｓｃを生成する。
【０００９】
　記録処理器１０６は、入力信号処理器１０１から出力されるデジタル映像信号Ｓｖｄに記録器１０７に対応した記録処理を施す。記録処理器１０６は、好ましくはＭＰＥＧ２画像圧縮手段等から構成されており、デジタル映像信号Ｓｖｄを圧縮し、ハードディスクに記録する信号形式に変換して、ＭＰＥＧ画像信号Ｓｍｐｇを出力する。ただし、記録処理器１０６の記録処理は、記録制御器１１１から出力される記録制御信号Ｓｃによって制御される。記録器１０７は、記録処理器１０６から出力されるＭＰＥＧ画像信号Ｓｍｐｇを、ハードディスクなどのデジタル記録媒体に記録する。
【００１０】
　映像信号記録装置ＤＲｃ１において、入力されたアナログ映像信号Ｓｖａにマクロビジョン信号やＣＧＭＳ−Ａ信号等のコピーガード信号が検出された場合のコピー制御動作について説明する。例えば、著作権情報検出器１０２において、アナログ映像信号Ｓｖａに、マクロビジョン信号のＡＧＣパルスが検出、あるいはＡＧＣパルスとカラーストライプの両方が検出される場合は、コピー禁止であることを示している。よって、著作権情報検出器１０２は記録制御器１１１に対して、アナログ映像信号Ｓｖａがコピー禁止であることを表す著作権情報信号Ｓｃｒを出力する。アナログ映像信号Ｓｖａ中のコピーガード信号が挿入される最小間隔は１フィールドであるので、著作権情報信号Ｓｃｒは、少なくとも当該１フィールドがコピー禁止であるか否かを示す。
【００１１】
　記録制御器１１１は、コピー禁止を表す著作権情報信号Ｓｃｒに基づいて、記録処理を禁ずる記録制御信号Ｓｃを出力して、記録処理器１０６の記録処理動作を停止若しくは行わせない。なお、記録処理器１０６がタイマ予約等で録画予約がされている場合には、録画予約を解除して記録動作が行われないようにする。
【００１２】
　同様に、著作権情報検出器１０２において、ＣＧＭＳ−Ａ信号が検出された場合について説明する。ＣＧＭＳ−Ａ信号がコピー禁止を表している場合、著作権情報検出器１０２はコピー禁止を表す著作権情報信号Ｓｃｒを出力し、記録制御器１１１は記録処理を禁ずる記録制御信号Ｓｃを出力して、記録処理器１０６の記録処理を停止若しくは行わせない。一方、ＣＧＭＳ−Ａ信号がコピーフリー、又は１回コピー可能を表している場合、著作権情報検出器１０２は記録可能であることを示す著作権情報信号Ｓｃｒを出力する。この著作権情報信号Ｓｃｒに基づいて、記録制御器１１１は記録処理を許可する記録制御信号Ｓｃを出力する。記録処理器１０６は、同記録制御信号Ｓｃに基づいて、記録動作やタイマ録画予約動作を継続する。
【００１３】
　図１６に、記録器１０７の記録媒体の記録領域を模式的に表す。記録器１０７の記録媒体は、物理アドレスの小さい方から大きい方に、ファイリングシステム情報領域ＡＦＳと、映像ファイル管理情報領域ＡＡＤと、映像ファイル領域ＡＡＶとの３つの領域に大別される。映像ファイル領域ＡＡＶには、映像信号記録装置ＤＲｃ１の記録処理器１０６からＭＰＥＧ画像信号Ｓｍｐｇとして出力されて、記録器１０７に記録される映像ファイルが格納される。ファイリングシステム情報領域ＡＦＳには、映像ファイル領域ＡＡＶのどのアドレスに、どんな映像ファイルが記録されているかを示すファイリングシステム情報が記録されている。
【００１４】
　映像ファイル管理情報領域ＡＡＤには、記録開始時間、記録時間長、記録ＴＶチャンネル、記録ＴＶ番組名、および記録モード情報等の、映像ファイル領域ＡＡＶに記録されている映像ファイルのそれぞれの内容を特定できる映像ファイル管理情報が記録される。この映像ファイル管理情報を利用して、記録されている映像ファイルの内容をユーザに提示することが可能である。映像ファイル管理情報は、ユーザの操作状態や入力端子２０に入力されるアナログ映像信号Ｓｖａのチャンネルを検出する手段（図示せず）を介して映像信号記録装置ＤＲｃ１に与えられる。
【００１５】
　ファイリングシステム情報領域ＡＦＳおよび映像ファイル管理情報領域ＡＡＤで管理できるファイル数は、映像ファイル領域ＡＡＶの記録容量と一義的な関係はない。それ故、ハードディスクの管理ファイル数が上限を超えた時点で、それ以降はハードディスクに未使用容量がいくら残っていても使用できない。
【００１６】
　なお、ファイリングシステム情報領域ＡＦＳおよび映像ファイル管理情報領域ＡＡＤの容量は、映像ファイル領域ＡＡＶに比べて著しく小さく設定されており、ファイリングシステム情報領域ＡＦＳ領域が消費され尽くせば、仮に映像ファイル領域ＡＡＶに未記録領域が残っていても、記録器１０７としてはそれ以上の映像ファイルを記録できない。また、映像ファイル管理情報領域ＡＡＤが消費されれば、それ以降映像ファイル領域ＡＡＶに記録された映像ファイルの内容を特定できない。
【００１７】
　次に、図１７を参照して、コピーが禁止されている入力信号に対しては、再生のための事前処理を割愛する映像信号記録装置（特許文献１）について説明する。映像信号記録装置ＤＲｃ２は、記録媒体駆動制御器５０、記録媒体５１、記録再生信号処理器５２、デシャフリング処理器５３、デシャフリング制御器５４、著作権情報検出器５５、映像信号処理器５６、外部信号入力器５７、映像信号出力器５８、およびモニタ５９を含む。記録媒体５１は、好ましくは、磁気テープ、光ディスク、および磁気ディスクに代表される、デジタル信号を記録再生できる媒体である。
【００１８】
　記録媒体駆動制御器５０は、記録媒体５１を駆動して映像音声信号の記録動作を行う。外部信号入力器５７は、記録媒体５１に記録する外部入力信号を入力して、映像信号記録装置ＤＲｃ２内に供給する。映像信号処理器５６は、記録再生動作に応じて、圧縮、伸張、エラー訂正、およびシャフリングなどの映像信号処理を行う。映像信号出力器５８は、再生記録映像をモニタ５９に出力する。記録再生信号処理器５２は、記録媒体５１に記録された映像信号を再生、および映像信号を記録媒体５１に記録する。
【００１９】
　デシャフリング処理器５３は、再生時に記録再生信号処理器５２より入力された映像信号に対してデシャフリングを施した後に、映像信号処理器５６に出力する。デシャフリング処理器５３は、記録時には映像信号処理器５６より入力される信号にデシャフリング処理を施した後に記録再生信号処理器５２に出力する。
【００２０】
　デシャフリング制御器５４は、記録再生時にデシャフリング処理器５３のデシャフリング処理動作の動作または停止を制御すると共に、記録媒体駆動制御器５０の駆動動作を制御する。著作権情報検出器５５は、記録時に入力された外部入力信号の著作権情報などの各種情報を検出する。
【００２１】
　以上のように構成された映像信号記録装置ＤＲｃ２の記録動作に付いて説明する。先ず、記録媒体５１に記録する外部映像信号Ｓｖｅを外部信号入力器５７より入力する。外部映像信号Ｓｖｅとは、アナログ信号では、アナログ放送のチューナ入力映像あるいはアナログ外部入力端子などから入力されるビデオ信号などが相当する。
【００２２】
　次に、外部信号入力器５７から入力された外部映像信号に対して映像信号処理器５６で映像信号処理を行う。外部映像信号Ｓｖｅがアナログ信号（Ｓｖａ）であれば、映像信号出力器５８を介してモニタ５９に出力し、記録媒体５１に記録される映像を出画する。さらに、入力された外部映像信号Ｓｖｅ（Ｓｖａ）から著作権情報を抽出すると共に、帯域圧縮処理を施して、外部映像信号Ｓｖｅ（Ｓｖａ）をデジタル信号（Ｓｖｄ）に変換する。
【００２３】
　次に、映像信号処理器５６で抽出された著作権情報を著作権情報検出器５５で識別する。識別した結果、外部映像信号Ｓｖｅが「記録可」、すなわちコピー記録が許可されている場合、あるいは、著作権情報あるいはコピーガード信号そのものが外部映像信号Ｓｖｅに付加されていない場合は、デシャフリング制御器５４の制御により、デシャフリング処理器５３でデシャフリング処理を行うように制御する。また、外部映像信号Ｓｖｅが「記録不可」、すなわちコピー記録禁止である場合は、外部映像信号Ｓｖｅに対してデシャフリング制御器５４の制御により、デシャフリング処理器５３におけるデシャフリング処理を行わないように制御する。次に、デシャフリング処理器５３から出力した記録映像信号を、記録再生信号処理器５２にて記録処理を施し、記録媒体５１に記録する。
【００２４】
　また、コピーが禁止されている間は、記録しようとする信号をミュートして、記録禁止が解除されると、録画動作を開始する記録装置（特許文献２）が提案されている。同記録装置においては、記録しようとする信号に含まれているコピー禁止データを検出して、記録系の記録動作を制御することにより、記録が禁止されている部分については、記録禁止が解除されるまで記録動作を待機して、記録禁止以外の部分を記録する。また、コピー検出信号が検出されている間は記録しようとする信号をミュートすることにより、記録を中断することなく、例えばテレビジョン放送の番組の最後まで録画する。なお、同記録装置は、アナログテレビジョン放送の受信信号、デジタルテレビジョン放送の受信データ、およびコンピュータ等によりＩ／Ｏインターフェースを介して供給されたデジタル信号も、それぞれ対応するミュート回路によってミュートされた後に記録系に供給される。
【００２５】
　しかしながら、上述の著作物ごとに録画を停止する映像信号記録装置においては、著作権保護のために、録画が停止されたことをユーザに通知する処理が煩雑である。例えば、ユーザが手動で録画開始ボタンを押すことにより開始される手動録画時に、外部映像信号が著作権保護されたコピー禁止である場合に、録画動作の停止あるいは開始させないと共に、例えばモニタ画面上に「著作権保護のために録画ができません」という旨のメッセージを表示させる必要がある。
【００２６】
　また、タイマ予約で自動的に録画が開始される予約録画の場合には、手動録画の場合に比べて、さらに複雑な処理が必要である。つまり、タイマ予約された番組が著作権保護のために録画できない場合には、その情報をユーザが次に録画装置を操作するまで保持しておく必要がある。そして、例えば、ユーザが次に録画装置を操作する際に、あるいは録画不可であった番組を再生しようとした時に、録画不可であったことを示すメッセージをモニタの画面上に表示させるなど、非常に複雑な処理が必要であり、ソフトウェア開発を困難にする大きな要因となっている。
【００２７】
　さらに、入力端子にデジタル衛星放送チューナのアナログ出力が接続される場合を考える。デジタル衛星放送では、降雨時に受信状態が悪化して、いわゆる弱電界状態になる。弱電界状態では、デジタル衛星放送に含まれる著作権情報（コピーガード信号）が、デジタル衛星放送チューナで正確に検出できないことがある。このような場合、入力される映像信号の著作権保護情報が頻繁に変化して検出される。例えば、同一番組であっても、ＣＧＭＳ−Ａ信号がコピー禁止、あるいはコピー可能を交互に示すように検出されることがある。
【００２８】
　上述のように、降雨時などの弱電界下において、検出される著作権保護情報が頻繁に変化するような映像信号が入力される場合、映像信号記録装置ＤＲｃ１においては、録画開始および録画停止が交互に何度も繰り返される。ハードディスクを用いた記録装置では、録画開始から録画停止までを１つの映像ファイルとして管理しており、また、それぞれの映像ファイルに対して、後で録画された映像ファイルの一覧を表示するために、管理情報を追記している。それ故に、弱電界下における録画開始と録画停止を何度も繰り返すと、映像ファイルが無数生成されて、ファイリングシステム情報領域ＡＦＳおよび映像ファイル管理情報領域ＡＡＤを費やしてしまい、ファイリングシステム情報領域ＡＦＳの効率的な使用或いは、記録された映像ファイルの内容を記録することができない。
【００２９】
　なお、ファイリングシステムにおいて、管理できるファイル数制限とハードディスク容量とは、トレードオフの関係にあり、管理ファイル数の制限を緩和することは可能である。しかしながら、ファイル数がふえれば、多数のファイルを管理するために必要とされるハードディスクおよびＣＰＵのパワーを要求される。民生品においては、多数のファイルの管理のためだけに、他の処理には不必要な高品位のＣＰＵを用いることは無駄である。それに対して、ハードディスクの容量単価比は、ＣＰＵの性能単価比に比べて遙かに小さいので、ファイル数を抑えることに意義がある。
【００３０】
　なお、ファイリングシステムの拡張をせずにハードディスクの容量を増量すれば、ハードディスクの使用不可領域が増大する。また、ファイリングシステムを拡張すれば、ハードディスクの使用不可領域の増大は抑えられるが、ファイル管理能力が不足する。
【００３１】
　また、上述のコピー禁止の入力信号に対しては生成の前処理を割愛する映像信号記録装置（特許文献１）においては、入力される外部映像信号がコピー禁止である場合には、外部映像信号に対してデシャフリングを行わずに記録媒体に記録している。この場合、記録媒体上には、元の外部映像信号がデシャフリングされない状態で残ってしまい、記録媒体から元の外部映像信号を取り出すことが必ずしも不可能ではなく、完全に元の外部映像信号の著作権を保護したことにはならない。
【００３２】
　また、デシャフリングを行わないのみなので、元の外部映像信号の内容によっては、著作権保護のためにデシャフリングを停止したことをユーザに通知することができない。例えば、全画面白、あるいは全画面黒のような映像信号が入力されると、デシャフリングを行った場合と、デシャフリングを行わなかった場合に、記録される映像信号は全く同一となる。この場合、再生映像信号からは著作権保護状態を判別できないという問題がある。
【００３３】
　また、コピー禁止である入力信号をミュートして記録する記録装置（特許文献２）においては、再生時にミュートされた部分が、入力信号がなかったためであるのか、著作権保護のためにミュートしたのかが分からない。そのためには、著作権保護のためにミュートされたことをユーザに通知する煩雑な処理を必要とする。
【００３４】
　また、著作物を含む信号を記録する際に、著作物に対しては、非著作物の情報で置き換えて記録している。置き換えられて記録された非著作物の情報からは、元の著作物の情報は復元できない。つまり、元の著作物は廃棄されている。そのために、たとえ、著作権者から後ほど著作物の利用に対する許諾を得た場合には、当該著作物を再度入手（受信・記録）しなければならない。
【特許文献１】特開２００１−１４７９３号公報
【特許文献２】特開平９−１８０２９５号公報
【発明の開示】
【発明が解決しようとする課題】
【００３５】
　しかしながら、上述の著作物ごとに録画を停止する映像信号記録装置においては、著作権保護のために、録画が停止されたことをユーザに通知する処理が煩雑である。例えば、ユーザが手動で録画開始ボタンを押すことにより開始される手動録画時に、外部映像信号が著作権保護されたコピー禁止である場合に、録画動作の停止あるいは開始させないと共に、例えばモニタ画面上に「著作権保護のために録画ができません」という旨のメッセージを表示させる必要がある。
【００３６】
　また、タイマ予約で自動的に録画が開始される予約録画の場合には、手動録画の場合に比べて、さらに複雑な処理が必要である。つまり、タイマ予約された番組が著作権保護のために録画できない場合には、その情報をユーザが次に録画装置を操作するまで保持しておく必要がある。そして、例えば、ユーザが次に録画装置を操作する際に、あるいは録画不可であった番組を再生しようとした時に、録画不可であったことを示すメッセージをモニタの画面上に表示させるなど、非常に複雑な処理が必要であり、ソフトウェア開発を困難にする大きな要因となっている。
【００３７】
　さらに、入力端子にデジタル衛星放送チューナのアナログ出力が接続される場合を考える。デジタル衛星放送では、降雨時に受信状態が悪化して、いわゆる弱電界状態になる。弱電界状態では、デジタル衛星放送に含まれる著作権情報（コピーガード信号）が、デジタル衛星放送チューナで正確に検出できないことがある。このような場合、入力される映像信号の著作権保護情報が頻繁に変化して検出される。例えば、同一番組であっても、ＣＧＭＳ−Ａ信号がコピー禁止、あるいはコピー可能を交互に示すように検出されることがある。
【００３８】
　上述のように、降雨時などの弱電界下において、検出される著作権保護情報が頻繁に変化するような映像信号が入力される場合、映像信号記録装置ＤＲｃ１においては、録画開始および録画停止が交互に何度も繰り返される。ハードディスクを用いた記録装置では、録画開始から録画停止までを１つの映像ファイルとして管理しており、また、それぞれの映像ファイルに対して、後で録画された映像ファイルの一覧を表示するために、管理情報を追記している。それ故に、弱電界下における録画開始と録画停止を何度も繰り返すと、映像ファイルが無数生成されて、ファイリングシステム情報領域ＡＦＳおよび映像ファイル管理情報領域ＡＡＤを費やしてしまい、ファイリングシステム情報領域ＡＦＳの効率的な使用或いは、記録された映像ファイルの内容を記録することができない。
【００３９】
　なお、ファイリングシステムにおいて、管理できるファイル数制限とハードディスク容量とは、トレードオフの関係にあり、管理ファイル数の制限を緩和することは可能である。しかしながら、ファイル数がふえれば、多数のファイルを管理するために必要とされるハードディスクおよびＣＰＵのパワーを要求される。民生品においては、多数のファイルの管理のためだけに、他の処理には不必要な高品位のＣＰＵを用いることは無駄である。それに対して、ハードディスクの容量単価比は、ＣＰＵの性能単価比に比べて遙かに小さいので、ファイル数を抑えることに意義がある。
【００４０】
　なお、ファイリングシステムの拡張をせずにハードディスクの容量を増量すれば、ハードディスクの使用不可領域が増大する。また、ファイリングシステムを拡張すれば、ハードディスクの使用不可領域の増大は抑えられるが、ファイル管理能力が不足する。
【００４１】
　また、上述のコピー禁止の入力信号に対しては生成の前処理を割愛する映像信号記録装置（特許文献１）においては、入力される外部映像信号がコピー禁止である場合には、外部映像信号に対してデシャフリングを行わずに記録媒体に記録している。この場合、記録媒体上には、元の外部映像信号がデシャフリングされない状態で残ってしまい、記録媒体から元の外部映像信号を取り出すことが必ずしも不可能ではなく、完全に元の外部映像信号の著作権を保護したことにはならない。
【００４２】
　また、デシャフリングを行わないのみなので、元の外部映像信号の内容によっては、著作権保護のためにデシャフリングを停止したことをユーザに通知することができない。例えば、全画面白、あるいは全画面黒のような映像信号が入力されると、デシャフリングを行った場合と、デシャフリングを行わなかった場合に、記録される映像信号は全く同一となる。この場合、再生映像信号からは著作権保護状態を判別できないという問題がある。
【００４３】
　また、コピー禁止である入力信号をミュートして記録する記録装置（特許文献２）においては、再生時にミュートされた部分が、入力信号がなかったためであるのか、著作権保護のためにミュートしたのかが分からない。そのためには、著作権保護のためにミュートされたことをユーザに通知する煩雑な処理を必要とする。
【００４４】
　また、著作物を含む信号を記録する際に、著作物に対しては、非著作物の情報で置き換えて記録している。置き換えられて記録された非著作物の情報からは、元の著作物の情報は復元できない。つまり、元の著作物は廃棄されている。そのために、たとえ、著作権者から後ほど著作物の利用に対する許諾を得た場合には、当該著作物を再度入手（受信・記録）しなければならない。
【００４５】
　本発明は、上述の問題点を解決するために、完全な著作権保護を実現すると共に、入力映像信号が著作権保護されていることをユーザに容易に認識で、かつ記録された映像ファイルの管理を簡単にして、ファイリングシステム情報領域および映像ファイル管理情報領域を節約することが可能な映像信号記録装置を提供することを第１の目的とする。さらに、著作権保護と共に、後ほど著作権上の制約が解除される場合には、容易に再利用できるように著作物を記録できる映像信号記録装置を提供することを第２の目的とする。
【課題を解決するための手段】
【００４６】
　著作物と非著作物が混在する第１の映像信号をデジタル記録する映像信号記録装置において、著作権情報検出器は第１の映像信号に挿入されている著作権情報を抽出し、有効画素期間検出器は第１の映像信号の有効画素期間を検出して有効期間判別信号を生成し、映像信号発生器は非著作物である第２の映像信号を発生し、映像信号生成器は著作権情報と有効期間判別信号に基づいて第１の映像信号が著作物である場合は、第１の映像信号の有効画素期間を第２の映像信号で置き換えて、第３の映像信号を生成する。
【発明の効果】
【００４７】
　本発明にかかる映像信号記録装置においては、著作物と非著作物が混合されている入力信号であっても、著作物の非著作物と置き換えた１ファイルとして記録することによって、著作権保護と共に、記録されたファイルの管理負荷を低減できる。また、再生時に置き換えられた非著作物が著作物の代わりに記録されたことを容易に認識できる。
【００４８】
　さらに、著作物をスクランブル（暗号化）して記録することによって、著作権保護と共に、後日著作権上の制約が解決した時点で、記録されている著作物の利用が可能である。
【００４９】
　また、著作物と非著作物が混合されている入力信号を１ファイルとして記録する際に、当該ファイルの中で著作物と非著作物の位置を識別する情報を付加して記録することによって、著作部と非著作物を選択的に表示したり再生したりできる。
【発明を実施するための最良の形態】
【００５０】
　（第１の実施形態）
　以下に、図１、図２、および図３を参照して、本発明の第１の実施形態にかかる映像信号記録装置について説明する。本実施形態にかかる映像信号記録装置ＤＲ１は、入力信号処理器１、著作権情報検出器２、有効期間判別信号生成器３、固定値発生器４、選択器５、記録処理器６、記録器７、および制御器１０ａを含む。入力信号処理器１は、入力端子２０を介して入力されるアナログ映像信号Ｓｖａに対して、同期信号分離やアナログ／デジタル変換等の処理を施して、デジタル映像信号Ｓｖｄを生成して、有効期間判別信号生成器３および選択器５に出力する。なお、デジタル映像信号Ｓｖｄは、ＣＣＩＲ６５６規格に準拠したデジタル映像信号であって、ＳＡＶ（Ｓｔａｒｔ　ｏｆ　ａｃｔｉｖｅ　ｖｉｄｅｏ）、ＥＡＶ（Ｅｎｄ　ｏｆ　ａｃｔｉｖｅ　ｖｉｄｅｏ）と呼ばれる同期信号が水平ブランキング期間に挿入されている。
【００５１】
　著作権情報検出器２は、入力信号処理器１を介して入力されるアナログ映像信号Ｓｖａに重畳されているマクロビジョン信号やＣＧＭＳ−Ａ信号等のコピーガード信号を検出して、著作権情報を抽出して著作権情報信号Ｓｃｒを生成する。なお本例においては、著作権情報信号Ｓｃｒは、入力されたアナログ映像信号Ｓｖａが「コピー可」の場合はＬｏｗとなり、「コピー不可」の場合にはＨｉｇｈとなる二値信号である。
【００５２】
　有効期間判別信号生成器３は、入力信号処理器１から出力されるデジタル映像信号Ｓｖｄの有効画素期間を示す有効期間判別信号Ｓｐｅを生成して、選択器５に出力する。なお、有効期間判別信号Ｓｐｅは、デジタル映像信号Ｓｖｄの水平ブランキング期間と垂直ブランキング期間を除く有効画素期間でＨｉｇｈとなり、それ以外ではＬｏｗとなる二値信号である。
【００５３】
　固定値発生器４は、デジタル映像信号Ｓｖｄの出力タイミングに合わせて固定値であるＤＣ値を発生して、固定値信号Ｓｄｃを生成する。本例においては、固定値信号Ｓｄｃは全画面ブルーの静止画像信号である。なお、固定値信号Ｓｄｃは必ずしも、全画面ブルーの静止画像信号である必要はなく、後述のように、再生時に明らかに通常の録画信号ではないが、異常ではないことをユーザが容易に識別できる信号であれば良い。
【００５４】
　デジタル映像信号Ｓｖｄは、８ビット幅からなるデジタル値であって時系列順に、Ｐｂ信号、Ｙ信号、Ｐｒ信号、およびＹ信号の順番で伝送される。固定値発生器４は、Ｐｂ信号のタイミングでＤ０（ＨＥＸ）、Ｙ信号のタイミングで０８（ＨＥＸ）、Ｐｒ信号のタイミングで８０（ＨＥＸ）を発生する。
【００５５】
　選択器５は、有効期間判別信号生成器３から出力される有効期間判別信号Ｓｐｅと、著作権情報検出器２から出力される著作権情報信号Ｓｃｒとに基づいて、入力信号処理器１から出力されるデジタル映像信号Ｓｖｄおよび固定値発生器４から出力される固定値信号Ｓｄｃの何れかを選択的に記録用デジタル映像信号Ｓｖとして記録処理器６に出力する。つまり、選択器５は、著作権情報信号Ｓｃｒの値に応じて、デジタル映像信号Ｓｖｄと固定値信号Ｓｄｃの何れか一方を、有効期間判別信号Ｓｐｅのタイミングに合わせ出力する。
【００５６】
　つまり、アナログ映像信号Ｓｖａから、「コピー不可」を表すマクロビジョン信号やＣＧＭＳ−Ａ信号等の著作権情報が検出された、つまりマクロビジョン信号のＡＧＣパルスが有りの場合、またはＡＧＣパルスとカラーストライプの両方が検出された場合には、著作権情報検出器２はＨｉｇｈの著作権情報信号Ｓｃｒを生成する。一方、アナログ映像信号ＳｖａからＡＧＣパルスやカラーストライプが検出されない場合は、「コピー可」であるので、Ｌｏｗの著作権情報信号Ｓｃｒを生成する。
【００５７】
　選択器５は、著作権情報信号ＳｃｒがＨｉｇｈの場合には、デジタル映像信号Ｓｖｄの有効画素期間のみに、固定値信号Ｓｄｃを選択して記録用デジタル映像信号Ｓｖとして出力させる。すなわち、有効期間判別信号ＳｐｅがＨｉｇｈの期間は、固定値信号Ｓｄｃが出力され、有効期間判別信号ＳｐｅがＬｏｗの期間はデジタル映像信号Ｓｖｄが出力される。一方、著作権情報信号ＳｃｒがＬｏｗの場合、有効期間判別信号Ｓｐｅに関わらず、常にデジタル映像信号Ｓｖｄが記録用デジタル映像信号Ｓｖとして出力される。
【００５８】
　記録処理器６は、選択器５から記録用デジタル映像信号Ｓｖとして出力されるデジタル映像信号Ｓｖｄあるいは固定値信号Ｓｄｃに記録処理を施して、ＭＰＥＧ画像信号Ｓｍｐｇに変換した後に記録器７に出力する。記録器７は、上述の記録器１０７と同様に構成されており、ＭＰＥＧ画像信号Ｓｍｐｇを映像ファイル領域ＡＡＶにデジタル記録する。なお、映像ファイル管理情報領域ＡＡＤには、映像ファイルが記録される毎に、その映像ファイルの内容を表す映像ファイル管理情報が記録される。
【００５９】
　制御器１０ａは、映像信号記録装置ＤＲ１の各構成要素の動作状態を表すフィードバック信号Ｓｆと、リモコン、キーボード等の入力装置（図示せず）を介してユーザの指示コマンドが入力される。制御器１０ａは、フィードバック信号Ｓｆとユーザ指示コマンドに基づいて、映像信号記録装置ＤＲ１の各構成要素の動作を制御する制御信号Ｓｃを生成する。
【００６０】
　次に、図２を参照して、選択器５を中心に映像信号記録装置ＤＲ１の記録動作について説明する。映像信号記録装置ＤＲ１に電源が投入されて、映像信号のデジタル記録動作が開始すると、先ず、ステップＳ２において、制御器１０ａは、ユーザ指示コマンドに基づいて、例えば、録画開始ボタンが押されているか否かの判定に基づいて、アナログ映像信号Ｓｖａの録画を開始するか否かを判断する。Ｙｅｓと判断された時点で、制御は次のステップＳ４に進む。
【００６１】
　ステップＳ４において、著作権情報検出器２によって、入力中のアナログ映像信号Ｓｖａはコピー禁止であるか否かが判断される。つまり著作権情報信号ＳｃｒがＨｉｇｈの場合は、Ｙｅｓが返されて、制御はステップＳ６に進む。一方、ステップＳ４においてＮｏ、つまり著作権情報信号ＳｃｒがＬｏｗの場合は、制御はステップＳ８に進む。
【００６２】
　ステップＳ６において、選択器５は固定値信号Ｓｄｃを選択して、記録用デジタル映像信号Ｓｖとして、記録処理器６に出力する。つまり、入力されているアナログ映像信号Ｓｖａの画像の代わりに、固定値信号Ｓｄｃが記録されるので、ダビングは行われない。そして、制御は次のステップＳ１０に進む。
【００６３】
　ステップＳ８において、選択器５はアナログ映像信号Ｓｖａを選択して、記録用デジタル映像信号Ｓｖとして、記録処理器６に出力する。つまり、アナログ映像信号Ｓｖａが選択器５でＭＰＥＧ画像信号Ｓｍｐｇに変換されて、記録器７の映像ファイル領域ＡＡＶに記録される。つまり、入力されているアナログ映像信号Ｓｖａがダビングされる。
そして、制御は次のステップＳ１０に進む。
【００６４】
　ステップＳ１０において、記録処理器６によって、ステップＳ６で記録用デジタル映像信号Ｓｖとして出力された固定値信号ＳｄｃあるいはステップＳ８で記録用デジタル映像信号Ｓｖとして出力されたアナログ映像信号Ｓｖａの何れかに対して記録処理を施して、ＭＰＥＧ画像信号Ｓｍｐｇを生成して記録器７に出力する。記録器７はＭＰＥＧ画像信号Ｓｍｐｇをハードディスク等の記録媒体に記録する。つまり、映像ファイル領域ＡＡＶに映像ファイルの記録を開始する。それゆえに、この時点では、記録が開始された映像ファイルの映像ファイル管理情報はまだ映像ファイル管理情報領域ＡＡＤには記録されない。そして、制御は次のステップＳ１２に進む。
【００６５】
　ステップＳ１２において、制御器１０ａはユーザの指示に基づいて、例えば、録画停止ボタンが押されているか否かを持って、アナログ映像信号Ｓｖａの録画を停止するのか否かを判断する。Ｙｅｓの場合は、制御は次のステップＳ２０に進む。一方、Ｎｏの場合、制御はステップＳ１４に進む。なお、ステップＳ４とステップＳ１２の間の時間間隔は、アナログ映像信号Ｓｖａにコピーガード信号が挿入される最小間隔以下であれば良く、本例においては、好ましくは１垂直ブランキング期間に設定されている。
【００６６】
　ステップＳ２０において、ステップＳ１０で記録が開始された映像ファイルの映像ファイル管理情報が映像ファイル管理情報領域ＡＡＤに記録された後に、少なくとも記録器７が停止されて、映像信号記録装置ＤＲ１の記録動作が終了する。
【００６７】
　ステップＳ１４においては、上述のステップＳ４と同様に、入力中のアナログ映像信号Ｓｖａがコピー禁止であるか否かが判断される。Ｙｅｓの場合、制御はステップＳ１６に進む。一方、Ｎｏの場合、制御はステップＳ１８に進む。
【００６８】
　ステップＳ１６においては、上述のステップＳ６と同様に、固定値信号Ｓｄｃが選択される。そして、制御は上述のステップＳ１２に進む。
【００６９】
　ステップＳ１８においては、上述のステップＳ８と同様に、デジタル映像信号Ｓｖｄが選択される。そして、制御は上述のステップＳ１２に進む。
【００７０】
　そして、ステップＳ１２においてＹｅｓと判断されるまで、ステップＳ１４乃至ステップＳ１８の処理が繰り返される。なお、ステップＳ１２とステップＳ１６との時間間隔およびステップＳ１２とステップＳ１８との時間間隔も、上述のステップＳ４とステップＳ１２との時間間隔と同様に設定される。
【００７１】
　図３に示すタイムチャートを参照して、映像信号記録装置ＤＲ１における各映像信号の時系列関係について簡単に説明する。同図において、横軸は時間の経過を示しており、上から順番にアナログ映像信号Ｓｖａ、固定値信号Ｓｄｃ、著作権情報信号Ｓｃｒ、および記録用デジタル映像信号Ｓｖの時刻ｔ０、ｔ１、ｔ２、ｔ３、ｔ４、ｔ５、およびｔ６における状態を模式的に例示している。
【００７２】
　つまり、アナログ映像信号Ｓｖａは、時刻ｔ０から時刻ｔ１まで、時刻ｔ２から時刻ｔ３まで、時刻ｔ４から時刻ｔ５までの部分は、著作権保護対象ではないので、コピー可である。一方、時刻ｔ１から時刻ｔ２まで、時刻ｔ３から時刻ｔ４まで、時刻ｔ５から時刻ｔ６までの部分は、著作権保護対象、つまり著作物であるので、コピー不可である。よって、著作権情報信号Ｓｃｒは、時刻ｔ０でＬｏｗになり、時刻ｔ１でＨｉｇｈになり、時刻ｔ２でＬｏｗになり、時刻ｔ３でＨｉｇｈになり、時刻ｔ４でＬｏｗになり、時刻ｔ５でＨｉｇｈになり、そして、時刻ｔ６でＬｏｗになる。
【００７３】
　時刻ｔ０から時刻ｔ６までの間、固定値信号Ｓｄｃは固定値Ｄｃで一定である。よって、記録用デジタル映像信号Ｓｖは、時刻ｔ０から時刻ｔ１まではデジタル映像信号Ｓｖｄであり、時刻ｔ１から時刻ｔ２までは固定値信号Ｓｄｃであり、時刻ｔ２から時刻ｔ３まではデジタル映像信号Ｓｖｄであり、時刻ｔ３から時刻ｔ４までは固定値信号Ｓｄｃであり、時刻ｔ４から時刻ｔ５まではデジタル映像信号Ｓｖｄであり、そして時刻ｔ５から時刻ｔ６までは固定値信号Ｓｄｃである。このような構成の記録用デジタル映像信号Ｓｖが１ファイルとして、記録器７に記録される。
【００７４】
　このように、記録処理器６においては、もはや著作権情報検出結果を考慮する必要はない。すなわち、「コピー禁止」の場合、記録器７に記録されるＭＰＥＧ画像信号Ｓｍｐｇは全面ブルーの静止画像（固定値信号Ｓｄｃ）に置き換えられており、元のアナログ映像信号Ｓｖａの情報を全く保持していない。また、有効画素のみ固定値Ｄｃに置き換えられているが、デジタル映像信号Ｓｖｄに含まれる同期信号（ＥＡＶ、ＳＡＶ）はそのまま記録処理器６に入力されるので、記録処理器６は著作権情報信号Ｓｃｒに基づくことなく記録処理を継続できる。また、著作権情報信号Ｓｃｒ、つまり著作権情報の検出結果によって、記録の開始および停止を繰り返すこともない。
【００７５】
　上述のように、本実施形態にかかる映像信号記録装置においては、著作権保護によりコピー禁止である映像信号は、元の映像信号の情報を全く含まない静止画信号に置き換えられて記録されるので、著作権を完全に保護できる。また、著作権情報によって記録動作を制御することがないので、不要な管理ファイルを多数発生することもなく、ハードディスクの記憶容量（ファイリングシステム情報領域ＡＦＳおよび映像ファイル管理情報領域ＡＡＤ）を節約できる。また、著作権保護された映像信号は固定値信号Ｓｄｃで置き換えられて記録されているので、再生時には著作権保護された部分は全画面ブルーの静止画像が表示されるため、ユーザが録画を望んだ映像が著作権保護されたものであることを容易に認識できる。特に、タイマ録画予約された番組がコピー禁止であった場合においても、全画面ブルーの静止画が記録されるので、再生時にコピー禁止であったことが容易に識別でき、新たにユーザに通知する手段を設ける必要がない。なお、再生した時にユーザが、著作権保護のために、入力された映像信号の代わりに別の映像が録画されたことをユーザが容易に認識できるような画像信号であれば、固定値信号Ｓｄｃの代わりにオンスクリーンメッセージや特定の動画像や多色画像、或いは音声などを記録するようにしても良い。
【００７６】
　（第２の実施形態）
　以下に、図４、図５、および図６を参照して、本発明の第２の実施形態にかかる映像信号記録装置について説明する。本実施形態にかかる映像信号記録装置ＤＲ２は、選択器５がスクランブラ１５に置き換えられ、固定値発生器４がスクランブルキー発生器１４に置き換えられ、制御器１０ａが制御器１０ｂに置き換えられている以外は、図１に示した映像信号記録装置ＤＲ１と同様に構成されている。よって、映像信号記録装置ＤＲ２に固有の特徴を重点的に説明する。
【００７７】
　スクランブルキー発生器１４は、アナログ映像信号Ｓｖａの供給者ごとに定められた所定のスクランブルキーＳＫを発生して、スクランブラ１５に出力する。なお、スクランブルキーＳＫは、あるいはアナログ映像信号Ｓｖａに添付して送られても良い。この場合、入力信号処理器１がアナログ映像信号ＳｖａからスクランブルキーＳＫを抽出することになると、共にスクランブルキー発生器１４は不要となる。
【００７８】
　スクランブラ１５は、スクランブルキー発生器１４から出力されるスクランブルキーＳＫを用いて、デジタル映像信号Ｓｖｄのコピー不可の部分をスクランブルする。結果、映像信号記録装置ＤＲ２においても、映像信号記録装置ＤＲ１と同様に、著作物が元の状態とは違う信号で置き換えられて記録器７に記録されるので、著作物が保護されている。
【００７９】
　また、映像信号記録装置ＤＲ１においては、たとえ対価の支払い等の手段をもって著作物の再生利用が許されても、異なる信号（固定値信号Ｓｄｃ）で非可逆的に置き換えられているために、著作物の生成は不可能である。これに対して、映像信号記録装置ＤＲ２においては、対価の支払いなどと交換に、著作権者からスクランブルキーＳＫを入手すれば、スクランブルされて記録された部分から元の著作物を再現できる。
【００８０】
　次に、図５に示すフローチャートを参照して、スクランブラ１５を中心に映像信号記録装置ＤＲ２の記録動作について説明する。映像信号記録装置ＤＲ２の記録動作のフローチャートは、ステップＳ６がステップＳ２６に交換され、ステップＳ１６がステップＳ３６に交換され、ステップＳ８およびステップＳ１８が省かれている点を除けば、図２に示したフローチャートと同様である。
【００８１】
　つまり、映像信号記録装置ＤＲ２に電源が投入されて、映像信号のデジタル記録動作が開始すると、先ず、ステップＳ２において、録画開始が確認された後に、ステップＳ４で入力中のアナログ映像信号Ｓｖａはコピー禁止であると判断されると、制御はステップＳ２６に進む。
【００８２】
　ステップＳ２６において、スクランブラ１５がスクランブルキー発生器１４から供給されたスクランブルキーＳＫでデジタル映像信号Ｓｖｄをスクランブル（暗号化）して、暗号化映像信号Ｓｅｎを生成する。そして、暗号化映像信号Ｓｅｎは、記録用デジタル映像信号Ｓｖとして、記録処理器６に出力される。そして、制御はステップＳ１０に進む。
【００８３】
　一方、ステップＳ４でＮｏ、つまり入力中のアナログ映像信号Ｓｖａはコピー可であると判断される場合、制御はステップＳ２６をスキップしてステップＳ１０に進む。
【００８４】
　ステップＳ１０において、記録処理器６は、ステップＳ２６でスクランブルされて生成された暗号化映像信号Ｓｅｎあるいは、スクランブルされていないデジタル映像信号Ｓｖｄの何れかに対して記録処理を施して、ＭＰＥＧ画像信号Ｓｍｐｇを生成して記録器７に出力する。記録器７はＭＰＥＧ画像信号Ｓｍｐｇをハードディスク等の記録媒体に記録する。
【００８５】
　そして、ステップＳ１２において、録画停止と判断された場合には、ステップＳ２０において映像信号記録装置ＤＲ２の記録動作が終了される。一方、ステップＳ１２において、録画停止でないと判断される場合には、ステップＳ１４で入力中のアナログ映像信号Ｓｖａがコピー禁止であると判断されれば、ステップＳ３６で上述のステップＳ２６におけるのと同様にデジタル映像信号Ｓｖｄをスクランブルして暗号化映像信号Ｓｅｎを生成する。そして、暗号化映像信号Ｓｅｎが記録用デジタル映像信号Ｓｖとして記録処理器６で信号処理された後に記録器７に記録される。一方、ステップＳ１４でＮｏの場合には、入力中のアナログ映像信号Ｓｖａに対応する記録用デジタル映像信号Ｓｖが信号処理された後に、記録器７に記録される。
【００８６】
　図６に示すタイムチャートを参照して、映像信号記録装置ＤＲ２における各映像信号の時系列関係について簡単に説明する。同図は、固定値信号Ｓｄｃが削除されると共に、著作権情報信号Ｓｃｒと記録用デジタル映像信号Ｓｖの間に暗号化映像信号Ｓｅｎが追加されている点を除いて、図３に示したタイムチャートと同じである。なお、暗号化映像信号Ｓｅｎは、独立して常時生成されている固定値信号Ｓｄｃとは異なり、著作権情報信号ＳｃｒがＨｉｇｈの期間だけデジタル映像信号Ｓｖｄをスクランブルして生成される。
【００８７】
　よって、記録処理器６に入力される記録用デジタル映像信号Ｓｖは、時刻ｔ０から時刻ｔ１まではデジタル映像信号Ｓｖｄであり、時刻ｔ１から時刻ｔ２までは暗号化映像信号Ｓｅｎであり、時刻ｔ２から時刻ｔ３まではデジタル映像信号Ｓｖｄであり、時刻ｔ３から時刻ｔ４までは暗号化映像信号Ｓｅｎであり、時刻ｔ４から時刻ｔ５まではデジタル映像信号Ｓｖｄであり、そして時刻ｔ５から時刻ｔ６までは暗号化映像信号Ｓｅｎである。このような構成の記録用デジタル映像信号Ｓｖが１ファイルとして、記録器７に記録される。
【００８８】
　このように、本実施形態においては、著作物である映像信号を、元のアナログ映像信号Ｓｖａとは異なる暗号化映像信号として記録することで著作権保護を満たすと同時に、後日著作権上の制約が解決して著作物の利用が許可された時点で、映像ファイル領域ＡＡＶに記録されているＭＰＥＧ画像信号Ｓｍｐｇ中の暗号化映像信号Ｓｅｎからの著作物の再生を可能する。
【００８９】
　（第３の実施形態）
　以下に、図７、図８、および図９を参照して、本発明の第３の実施形態にかかる映像信号記録装置について説明する。本実施形態にかかる映像信号記録装置ＤＲ３は、著作権情報検出器２と記録処理器６の間にファイル構成情報生成器９が新たに追加されると共に、フレームポインタ発生器８が追加され、制御器１０ａが制御器１０ｃに置き換えられ、記録器７が記録器７ｒに置き換えられている点を除いて、図１に示した映像信号記録装置ＤＲ１と同様に構成されている。よって、映像信号記録装置ＤＲ３に固有の特徴を重点的に説明する。
【００９０】
　フレームポインタ発生器８は、アナログ映像信号Ｓｖａが搬送している画像を少なくとも１フレーム単位の解像度で指定できるフレームポインタＳｆｐを発生する。なお、フレームポインタ発生器８は、好ましくは、クロック或いはカウンタで構成される。上述のごとく、コピーガード信号の最小間隔は１フィールドであるが、１画像は１フレーム（２フィールド）で成立するので、本実施形態においては１フレーム解像度を有するフレームポインタＳｆｐが用いられる。しかしながら、必要であれば、コピーガード信号の最小間隔に合わせて１フィールド解像度を有するフィールドポインタを用いてもよいことはいうまでもない。
【００９１】
　ファイル構成情報生成器９は、著作権情報信号ＳｃｒとフレームポインタＳｆｐとに基づいて、アナログ映像信号Ｓｖａの著作権保護の状態が変化した境界を画像（フレーム）単位で指定する境界情報と共に、指定された境界の間のアナログ映像信号Ｓｖａがコピー禁止（著作物）とコピー可（非著作物）の何れかであるかを示す著作物情報とを含む、ファイル構成情報Ｓａｄを生成する。ファイル構成情報Ｓａｄは、記録処理器６を介して、ＭＰＥＧ画像信号Ｓｍｐｇと共に記録器７ｒに記録される。
【００９２】
　図８に、記録器７ｒの記録媒体の記録領域を模式的に示す。記録器７ｒの記録媒体は、記録器１０７の記録媒体とファイリングシステム情報領域ＡＦＳ、映像ファイル管理情報領域ＡＡＤ、および映像ファイル領域ＡＡＶを有すると共に、ファイル構成情報領域ＡＳａｄを有する。ファイル構成情報領域ＡＳａｄには、ファイル構成情報Ｓａｄが記録される。なお、ファイル構成情報領域ＡＳａｄは、他の領域と共通に構成しても良い。
【００９３】
　なお、ファイル構成情報Ｓａｄは、上述の映像ファイル管理情報が映像ファイル領域ＡＡＶに記録されたファイル毎の記録開始時間、記録時間長、記録ＴＶチャンネル、記録ＴＶ番組名、および記録モード情報等の表す情報であるのに対して、ファイル構成情報Ｓａｄは１つのファイルの中でも、フレーム単位で記録されている画像がデジタル映像信号Ｓｖｄであるのか固定値信号Ｓｄｃであるのかを示す情報である点が異なる。
【００９４】
　次に、図９に示すフローチャートを参照して、ファイル構成情報生成器９を中心に映像信号記録装置ＤＲ３の記録動作について説明する。映像信号記録装置ＤＲ３の記録動作のフローチャートは、ステップＳ２、Ｓ４、Ｓ６、Ｓ８、Ｓ１０、およびＳ１２は、図２に示した映像信号記録装置ＤＲ１のフローチャートと共通である。但し、ステップＳ４とステップＳ６の間にステップＳ５が追加され、ステップＳ１２とステップＳ１６の間にステップＳ２４、Ｓ２６、およびＳ２８が追加され、そして、ステップＳ８の下流にステップＳ１１、Ｓ１３、Ｓ１９、Ｓ２５、Ｓ２７、およびＳ２９が追加されている。なお、ステップＳ１０がステップＳ１０ｒと交換されている。
【００９５】
　映像信号記録装置ＤＲ３に電源が投入されて、動作が開始すると、先ず、ステップＳ２において、録画を開始すると判断された後に、ステップＳ４で入力中のアナログ映像信号Ｓｖａがコピー禁止であると判断されると、制御は新たに設けられたステップＳ５に進む。
【００９６】
　ステップＳ５において、フレームポインタＳｆｐと著作権情報信号Ｓｃｒに基づいてファイル構成情報Ｓａｄが生成される。そして、次のステップＳ６において、選択器５によって固定値信号Ｓｄｃが記録処理器６に出力されて、記録処理器６でＭＰＥＧ画像信号Ｓｍｐｇに変換されて、記録器７に記録される。
【００９７】
　さらに、次のステップＳ１０ｒにおいて、固定値信号Ｓｄｃが記録処理を施されて、ＭＰＥＧ画像信号Ｓｍｐｇに変換されて記録器７に記録される。このとき、上述のステップＳ５で生成されたファイル構成情報Ｓａｄも一緒に記録される。そして、制御は次のステップＳ２４に進む。
【００９８】
　ステップＳ２４において、入力中のアナログ映像信号Ｓｖａがコピー可であるか否かが判断される。Ｎｏの場合、制御はステップＳ２８に進む。
【００９９】
　ステップＳ２８においては、固定値信号Ｓｄｃが記録用デジタル映像信号Ｓｖとして選択器５から出力されて、記録処理を施された後に記録器７ｒに記録される。これは、コピー不可のアナログ映像信号Ｓｖａが引き続き入力されている（Ｓ２４でＮｏ）ので、管理情報生成する必要ない。そして、制御は上述のステップＳ１２に戻る。
【０１００】
　一方、ステップＳ１１では、ステップＳ８で記録用デジタル映像信号Ｓｖとして選択されたデジタル映像信号Ｓｖｄが、記録処理器６で記録処理を施された後に記録器７で記録される。そして、制御は次のステップＳ１３に進む。
【０１０１】
　ステップＳ１３においては、ステップＳ１２におけるのと同様に、録画を停止するか否かが判断される。Ｙｅｓの場合は、ステップＳ２０を経て、映像信号記録装置ＤＲ３の動作が終了する。一方、本ステップでＮｏの場合、制御は次のステップＳ２５に進む。
【０１０２】
　ステップＳ２５においては、入力中のアナログ映像信号Ｓｖａがコピー禁止か否かが判断される。Ｙｅｓの場合、制御はステップＳ２７に進む。
【０１０３】
　ステップＳ２７においては、ファイル構成情報Ｓａｄが生成される。これは、既にステップＳ４でコピー禁止ではないと判断された後に、著作権保護状態が変更されており、記録内容もことなるので、ファイル構成情報Ｓａｄを生成するものである。そして、制御は次のステップＳ１９に進む。
【０１０４】
　ステップＳ１９において、上述のステップＳ６と同様に固定値信号Ｓｄｃが選択されて、記録器７ｒに記録される。それと同時に、ステップＳ２７で生成されたファイル構成情報Ｓａｄも記録される。そして、制御は上述のステップＳ１２に進む。
【０１０５】
　一方、ステップＳ２５においてＮｏ、コピー禁止ではないと判断される場合、制御はステップＳ２９に進む。
【０１０６】
　ステップＳ２９において、デジタル映像信号Ｓｖｄが選択されて、記録処理器６で記録処理が施された後に、記録器７ｒで記録される。
【０１０７】
　これは、ステップＳ２５でコピー禁止ではないと判断される前に、既にステップＳ４でコピー禁止でないと判断されているので、著作権保護状態は変更されていないので、ファイル構成情報Ｓａｄを生成する必要がないからである。そして、制御はステップＳ１３に戻る。
【０１０８】
　そして、ステップＳ１３でＹｅｓと判断されて、ステップＳ２０の処理後に映像信号記録装置ＤＲ３の動作は終了する。
【０１０９】
　上述のように、アナログ映像信号Ｓｖａがコピー可／不可で変化する度に、ファイル構成情報Ｓａｄが生成されて、記録器７ｒのファイル構成情報領域ＡＳａｄに記録される。
【０１１０】
　図１０に示すタイムチャートを参照して、映像信号記録装置ＤＲ３における各映像信号の時系列関係について簡単に説明する。同図に示されるタイムチャートは、図３に示したタイムチャートに、ファイル構成情報Ｓａｄと再生信号Ｓｒｐが追加されている。ファイル構成情報Ｓａｄは、上述のようにアナログ映像信号Ｓｖａのコピー保護状態が変化する度（時刻ｔ１、ｔ２、ｔ３、ｔ４、ｔ５、およびｔ６）、つまり著作権情報信号Ｓｃｒの値が変化する度に生成されて、ＭＰＥＧ画像信号Ｓｍｐｇと共に記録器７ｒに記録される。
【０１１１】
　そして、このように記録されたＭＰＥＧ画像信号Ｓｍｐｇを記録器７から再生する際には、ファイル構成情報Ｓａｄに基づいて、固定値信号Ｓｄｃがスキップされて、アナログ映像信号Ｓｖａのみが連続的に、１つのファイルのように再生される。再生信号Ｓｒｐはこの様子を示している。
【０１１２】
　なお、ファイル構成情報Ｓａｄを利用して、再生装置側で、固定値信号Ｓｄｃが記録されている部分と、アナログ映像信号Ｓｖａが記録されている部分があることや、固定値信号Ｓｄｃの記録が著作権保護のための処理であることをユーザに提示したりできる。
【０１１３】
　（第４の実施形態）
　以下に、図１１および図１２を参照して、本発明の第４の実施形態にかかる映像信号記録装置について説明する。図１１に示すように、本実施形態にかかる映像信号記録装置ＤＲ４は、図７に示した映像信号記録装置ＤＲ３において、固定値発生器４および選択器５がそれぞれスクランブルキー発生器１４およびスクランブラ１５と置き換えられている。つまり、映像信号記録装置ＤＲ４で固定値信号Ｓｄｃが出力される際に、アナログ映像信号Ｓｖａがスクランブルされて出力される。
【０１１４】
　次に図１２を参照して、スクランブルを中心に、映像信号記録装置ＤＲ４の記録動作について説明する。映像信号記録装置ＤＲ４の記録動作のフローチャートは、ステップＳ８、ステップＳ１６、およびステップＳ２９が削除されると共に、ステップＳ６、Ｓ１９、およびステップＳ２８が、それぞれ、ステップＳ６ｒ、Ｓ１９ｒ、およびＳ２８ｒに交換されている点を除けば、図９に示した映像信号記録装置ＤＲ３のフローチャートと同じである。
【０１１５】
　つまり、ステップＳ２、Ｓ４、およびＳ５を経て、Ｓ６ｒにおいてデジタル映像信号Ｓｖｄがスクランブルされたのち、ステップＳ１０ｒで記録が開始される。そして、上述のごとくステップＳ１２、Ｓ２４、Ｓ２８ｒをへてＳ１２へ、およびＳ２６での処理をへて、制御はステップＳ１３に戻る。
【０１１６】
　一方ステップＳ４でＮｏ，つまりコピー禁止と判断される場合には、ステップＳ１１、Ｓ１３、Ｓ２５、およびステップＳ２７をへて、ステップＳ１９ｒにおいてデジタル映像信号Ｓｖｄがスクランブルされる。そして、制御はステップＳ１２に進む。
【０１１７】
　（第５の実施形態）
　以下に、図１３を参照して、本発明の第５の実施形態にかかる映像信号記録装置について説明する。本実施形態にかかる映像信号記録装置ＤＲ５は、入力端子２０にはアナログ映像信号Ｓｖａの代わりにデジタル映像信号Ｓｖｄが入力される。そのために、入力信号処理器１がデコーダ１ｒに置き換えられると共に、フレームポインタ発生器８がフレームポインタ発生器８ｒに変更されている点を除けば、図７に示した映像信号記録装置ＤＲ３と同様に構成されている。そして、デジタル映像信号Ｓｖｄは、デコーダ１ｒとフレームポインタ発生器８ｒに入力されている。
【０１１８】
　デコーダ１ｒは、デジタル映像信号Ｓｖｄからコピーガード情報Ｓｃｏを抽出して著作権情報検出器２に出力すると共に、デジタル映像信号Ｓｖｄから同期情報Ｓｓｙｎｃを抽出して有効期間判別信号生成器３に出力する。さらに、フレームポインタ発生器８ｒはデジタル映像信号Ｓｖｄに含まれるＰＣＲ（Ｐｒｏｇｒａｍ　Ｃｌｏｃｋ　Ｒｅｆｅｒｅｎｃｅ）に基づいて、フレームポインタＳｆｐを生成してファイル構成情報生成器９に出力する。以降の処理は、既に述べた映像信号記録装置ＤＲ３における処理と同様であるので、説明を省く。
【０１１９】
　（第６の実施形態）
　以下に、図１４を参照して、本発明の第６の実施形態にかかる映像信号記録装置について説明する。本実施形態にかかる映像信号記録装置ＤＲ６は、図１３に示す映像信号記録装置ＤＲ５において、固定値発生器４および選択器５がそれぞれ、スクランブルキー発生器１４およびスクランブラ１５と交換されて構成されている。なお、スクランブルキー発生器１４およびスクランブラ１５の動作は、既に図４を参照して説明した通りであるので、説明を省く。
【産業上の利用可能性】
【０１２０】
　上述のように、本発明は、著作物が混入した映像信号等を記録する装置に用いることができる。
【図面の簡単な説明】
【０１２１】
【図１】本発明の第１の実施形態にかかる映像信号記録装置の構成を示すブロック図
【図２】図１に示した映像信号記録装置の動作を示すフローチャート
【図３】図１に示した映像信号記録装置における種々な信号を示すタイムチャート
【図４】本発明の第２の実施形態にかかる映像信号記録装置の構成を示すブロック図
【図５】図４に示した映像信号記録装置の動作を示すフローチャート
【図６】図４に示した映像信号記録装置における種々な信号を示すタイムチャート
【図７】本発明の第３の実施形態にかかる映像信号記録装置の構成を示すブロック図
【図８】図７に示した記録器の記憶領域の構成を示す模式図
【図９】図７に示した映像信号記録装置の動作を示すフローチャート
【図１０】図７に示した映像信号記録装置における種々な信号を示すタイムチャート
【図１１】本発明の第４の実施形態にかかる映像信号記録装置の構成を示すブロック図
【図１２】図１１に示した映像信号記録装置の動作を示すフローチャート
【図１３】本発明の第５の実施形態にかかる映像信号記録装置の構成を示すブロック図
【図１４】本発明の第６の実施形態にかかる映像信号記録装置の構成を示すブロック図
【図１５】従来の映像信号記録装置の構成を示すブロック図
【図１６】図１５に示した記録器の記憶領域の構成を示す模式図
【図１７】図１５に示したものとは異なる従来の映像信号記録装置の構成を示すブロック図
【符号の説明】
【０１２２】
ＤＲ１、ＤＲ２、ＤＲ３、ＤＲ４、ＤＲ５、ＤＲ６、ＤＲｃ１、ＤＲｃ２　映像信号記録装置
１、１０１　入力信号処理器
１ｒ　デコーダ
２、５５、１０２　著作権情報検出器
３　有効期間判別信号生成器
４　固定値発生器
５　選択器
６、１０６　記録処理器
７、７ｒ、１０７　記録器
８、８ｒ　フレームポインタ発生器
９　ファイル構成情報生成器
１０ａ、１０ｂ、１０ｃ、１０ｄ、１０ｅ、１０ｆ　制御器
１４　スクランブルキー発生器
１５　スクランブラ
２０　入力端子
５０　記録媒体駆動制御部
５１　記録媒体
５２　記録再生信号処理器
５３　デシャフリング処理器
５４　デシャフリング制御器
５６　映像信号処理器
５７　外部信号入力器
５８　映像信号出力器
５９　モニタ
１１１　記録制御器
【図１】
2004147312.tif 000003
【図２】
2004147312.tif 000004
【図３】
2004147312.tif 000005
【図４】
2004147312.tif 000006
【図５】
2004147312.tif 000007
【図６】
2004147312.tif 000008
【図７】
2004147312.tif 000009
【図８】
2004147312.tif 000010
【図９】
2004147312.tif 000011
【図１０】
2004147312.tif 000012
【図１１】
2004147312.tif 000013
【図１２】
2004147312.tif 000014
【図１３】
2004147312.tif 000015
【図１４】
2004147312.tif 000016
【図１５】
2004147312.tif 000017
【図１６】
2004147312.tif 000018
【図１７】
2004147312.tif 000019